(57)【要約】【課題】折り畳んだ固定ばねを容易にかつ確実に開放することができる固定ばね開放治具を提供する。【解決手段】遮音壁の構築の際に使用するに固定ばね開放治具において、治具本体１と、治具本体１の長手方向の一端に、治具本体１の軸線に対して傾斜して形成された突片１ａとからなる。【選択図】図２
2020075323.tif 000002
【特許請求の範囲】
【請求項１】
板ばねをＶ字状に折り曲げることによって一方端部と他方端部とが形成され、前記一方端部には、前記一方端部の一部を前記他方端部側に打ち抜くことによって、開口が形成された第１係合片が形成され、前記他方端部には、前記他方端部の上部を前記一方端部側に山状に折り曲げることにより山状折曲部が形成され、前記山状折曲部の前記第１係合片側の一方の折曲部には、前記他方端部の一部を外側に打ち抜くことによって第２係合片が形成され、前記第２係合片を前記第１係合片の前記開口に係合させることによって、固定ばねが折り畳まれ、前記第２係合片の係合を解除することによって、固定ばねが開放される固定ばねの開放に使用する固定ばね開放治具において、
治具本体と、前記治具本体の長手方向の一端に、前記治具本体の軸線に対して傾斜して形成された突片とからなり、前記突片を前記一方の折曲部と前記第１係合片との間に差し込み、前記治具本体を回動させることによって、前記第２係合片の係合を解除することを特徴とする固定ばね開放治具。
【請求項２】
前記治具本体の長手方向の他端に、前記突片と同一形状の別の突片が形成されていることを特徴とする、請求項１に記載の固定ばね開放治具。
【請求項３】
前記突片の傾斜角度は、前記治具本体の軸線に対して３０°から６０°の範囲内であることを特徴とする、請求項１または２に記載の固定ばね開放治具。
【請求項４】
前記突片の先端は、先細りに形成されていることを特徴とする、請求項１から３の何れか１つに記載の固定ばね開放治具。
【発明の詳細な説明】
【技術分野】
【０００１】
この発明は、固定ばね開放治具、特に、折り畳んだ固定ばねを容易にかつ確実に開放することができる固定ばね開放治具に関するものである。
【背景技術】
【０００２】
従来から、高速道路、一般道路、鉄道等の側部に沿って遮音壁を設置して、車両の走行に伴って発生する騒音の低減を図っている。
【０００３】
特許文献１には、遮音壁の一例が開示されている。以下、この遮音壁を従来遮音壁といい、図面を参照しながら説明する。
【０００４】
図１４は、従来遮音壁を示す部分斜視図である。
【０００５】
図１４に示すように、従来遮音壁は、Ｈ形鋼からなる支柱２１と、支柱２１間に取り付けられた遮音パネル２２とを備えている。
【０００６】
遮音パネル２２は、枠体２３に取り付けられた、表面板２６と板状吸音材２４からなり、支柱２１の前面側のフランジ２１ａの前面にボルト２５により固定されている。図１４において、前面側（本線側）を（Ａ）で示し、背面側（民地側）を（Ｂ）で示す。
【先行技術文献】
【特許文献】
【０００７】
【特許文献１】特開２００７−１４６６４０号公報
【発明の概要】
【発明が解決しようとする課題】
【０００８】
上述した従来遮音壁によれば、遮音パネル２２が支柱２１の本線側のフランジ２１ａの前面にボルト２５により固定されているので、事故等により遮音パネル２２が損傷した場合、遮音パネル２２の交換が本線側から行えるといった利点がある。
【０００９】
しかしながら、遮音パネル２２は、ボルト２５により支柱２１に取り付けられているので、遮音パネル２２の取付け、取替え、および、点検を行う際のボルト２５の締付けや取外しに時間と手間がかかるといった問題があった。
【００１０】
また、特許文献１には記載されていないが、通常、遮音パネル２２の落下防止ワイヤは、遮音パネル２２と背面パネル（特許文献１の図２参照）との間に設けられているので、落下防止ワイヤの点検時には、パネルを取り外す必要があった。
【００１１】
そこで、本願発明者は、上記問題点を解決することができる遮音壁（以下、改良遮音壁という）を開発した結果、後述するように、従来遮音壁では得られない効果がもたらされた。
【００１２】
しかしながら、遮音パネルを支柱に固定する固定ばねを容易かつ確実に開放することができる固定ばね開放治具を開発すれば、改良遮音壁をさらに容易に構築することができることから、このような固定ばね開放治具の提案が望まれていた。
【００１３】
従って、この発明の目的は、例えば、改良遮音壁における遮音パネルを支柱に固定する固定ばねを容易かつ確実に開放することができる固定ばね開放治具を提供することにある。
【課題を解決するための手段】
【００１４】
この発明は、上記目的を達成するためになされたものであって、下記を特徴とする。
【００１５】
請求項１に記載の発明は、板ばねをＶ字状に折り曲げることによって一方端部と他方端部とが形成され、前記一方端部には、前記一方端部の一部を前記他方端部側に打ち抜くことによって、開口が形成された第１係合片が形成され、前記他方端部には、前記他方端部の上部を前記一方端部側に山状に折り曲げることにより山状折曲部が形成され、前記山状折曲部の前記第１係合片側の一方の折曲部には、前記他方端部の一部を外側に打ち抜くことによって第２係合片が形成され、前記第２係合片を前記第１係合片の前記開口に係合させることによって、固定ばねが折り畳まれ、前記第２係合片の係合を解除することによって、固定ばねが開放される固定ばねの開放に使用する固定ばね開放治具において、治具本体と、前記治具本体の長手方向の一端に、前記治具本体の軸線に対して傾斜して形成された突片とからなり、前記突片を前記一方の折曲部と前記第１係合片との間に差し込み、前記治具本体を回動させることによって、前記第２係合片の係合を解除することに特徴を有するものである。
【００１６】
請求項２に記載の発明は、請求項１に記載の発明において、前記治具本体の長手方向の他端に、前記突片と同一形状の別の突片が形成されていることに特徴を有するものである。
【００１７】
請求項３に記載の発明は、請求項１または２に記載の発明において、前記突片の傾斜角度は、前記治具本体の軸線に対して３０°から６０°の範囲内であることに特徴を有するものである。
【００１８】
請求項４に記載の発明は、請求項１から３の何れか１つに記載の発明において、前記突片の先端は、先細りに形成されていることに特徴を有するものである。
【発明の効果】
【００１９】
この発明によれば、例えば、改良遮音壁における遮音パネルを支柱に固定する固定ばねを容易かつ確実に開放することができる。
【図面の簡単な説明】
【００２０】
【図１】この発明の固定ばね開放治具を示す図であり、（ａ）は、平面図、（ｂ）は、正面図である。
【図２】この発明の固定ばね開放治具を示す斜視図である。
【図３】折畳みを解除した、固定ばねを示す側面図である。
【図４】折畳みを解除した、固定ばねを示す平面図である。
【図５】折り畳んだ、固定ばね示す側面図である。
【図６】この発明の固定ばね開放治具の使用状態を示す側面図である。
【図７】改良遮音壁を示す部分斜視図である。
【図８】改良遮音壁を示す概略平面図である。
【図９】遮音パネル交換時の、改良遮音壁を示す概略平面図である。
【図１０】改良遮音壁を示す部分断面図である。
【図１１】改良遮音壁を示す側面図である。
【図１２】改良遮音壁を支柱に差し込んだ状態を示す側面図である。
【図１３】ワイヤ保持金具としてのＪボルトを示す平面図である。
【図１４】従来遮音壁を示す部分斜視図である。
【発明を実施するための形態】
【００２１】
この発明の固定ばね開放治具の一実施態様を、図面を参照しながら説明する。
【００２２】
図１は、この発明の固定ばね開放治具を示す図であり、（ａ）は、平面図、（ｂ）は、正面図、図２は、この発明の固定ばね開放治具を示す斜視図である。
【００２３】
図１および図２に示すように、この発明の固定ばね開放治具は、板状の治具本体１と、治具本体１の長手方向の両端部に、治具本体１の軸線（ｌ）に対して傾斜して形成された一対の突片１ａとからなっている。
【００２４】
治具本体１は、この例では平鋼からなっているが、パイプや棒材等であっても良い。
【００２５】
一対の突片１ａは、治具本体１に対して線対称に形成されている。これは必ず線対称に形成しなくてもよい。突片１ａを線対称に一対設けたのは、後述する固定ばねの開放を左右両側から行なえるようにするためである。
【００２６】
突片１ａの傾斜角度（θ）は、この例では４５°であるが、この角度に限定されず、作業性を考慮すれば、３０°から６０°の範囲内が好ましい。何故なら、遮音パネル２の設置高さが高い場合、傾斜角度（θ）が大きいと、図１１中、一点鎖線で示すように、治具本体１の位置がさらに高くなって、操作がやりにくいからである。
【００２７】
突片１ａは、何れか１つであってもよい。突片１ａの先端は、後述するように、一方の折曲部１０ｆと第１係合片１０ｃとの間に差し込みやすいように先細りに形成されている。
【００２８】
次に、この発明の固定ばね開放治具が使用される固定ばねを、図面を参照しながら説明する。
【００２９】
図３は、折畳みを解除した、固定ばねを示す側面図、図４は、折畳みを解除した、固定ばねを示す平面図、図５は、折り畳んだ、固定ばね示す側面図である。
【００３０】
図３から図５に示すように、固定ばね１０は、板ばねをＶ字状に折り曲げることによって一方端部（Ｍ）と他方端部（Ｎ）とが形成されている。一方端部（Ｍ）には、一方端部（Ｍ）の一部を他方端部（Ｎ）側に打ち抜くことによって、開口１０ｂが形成された第１係合片１０ｃが形成されている。第１係合片１０ｃの上方の一方端部（Ｍ）には、ボルト孔１０ａが形成されている。
【００３１】
他方端部（Ｎ）には、他方端部（Ｎ）の上部を一方端部（Ｍ）側に山状に折り曲げることにより山状折曲部１０ｅが形成されている。山状折曲部１０ｅの第１係合片１０ｃ側の一方の折曲部１０ｆには、他方端部（Ｎ）の一部を外側に打ち抜くことによって第２係合片１０ｄが形成されている。
【００３２】
第２係合片１０ｄを第１係合片１０ｃの開口１０ｂに係合させることによって、ばねが折り畳まれ、第１係合片１０ｃの開口１０ｂから第２係合片１０ｄを抜き出して、係合を解除することによって、固定ばねが開放される。
【００３３】
この発明の固定ばね開放治具を使用して、上述した固定ばねを開放するには、以下のようにする。
【００３４】
図６に示すように、固定ばね開放治具の一方の突片１ａを一方の折曲部１０ｆと第１係合片１０ｃとの間に差し込み、治具本体１を、図中、矢印方向に回動させる。これによって、突片１ａは、図中、Ｐ点を支点として、第１係合片１０ｃを押し上げ、これによって、第２係合片１０ｄは、開口１０ｂから抜け出る。この結果、第２係合片１０ｄの係合が解除され、固定ばねが開放される。
【００３５】
次に、上述した固定ばねを使用して構築される改良遮音壁を、図面を参照しながら説明する。なお、固定ばねは、改良遮音壁に限らず、他の構造物にも適用可能である。
【００３６】
図７は、改良遮音壁を示す部分斜視図、図８は、改良遮音壁を示す概略平面図、図９は、遮音パネル交換時の、改良遮音壁を示す概略平面図、図１０は、改良遮音壁を示す部分断面図、図１１は、改良遮音壁を示す側面図、図１２は、改良遮音壁を支柱に差し込んだ状態を示す側面図である。
【００３７】
図７から図１２において、１５は、Ｈ形鋼からなる支柱であり、後述するように、支柱１５の前面側フランジ１５ａに、遮音パネル２が取り付けられる。支柱１５の前面側フランジ１５ａの背面には、遮音パネル２の高さ間隔ごとにストッパ３が突設されている。
【００３８】
なお、支柱１５は、Ｈ形鋼に限定されず、Ｉ形鋼や溝形鋼等の形鋼であってもよい。
【００３９】
図７において、前面側（本線側）を（Ａ）で示し、背面側（民地側）を（Ｂ）で示す（以下、同様）。
【００４０】
ストッパ３は、前面側フランジ１５ａの背面に突設されたＬ字状の突起からなり、前面側フランジ１５ａの上端から挿入された、後述する取付け部材９が入り込み、載置されることによって、遮音パネル２が支柱１５の所定高さ位置に保持される。なお、ストッパ３は、Ｌ字状の突起以外に、ボルトを前面側フランジ１５ａにナットにより固定したものでもよい。
【００４１】
ストッパ３は、前面側フランジ１５ａに形成された開口（図示せず）と、取付け部材９に突設された、前記開口に挿入される突起（図示せず）とからなるものであってもよい。
【００４２】
２は、遮音パネルである。遮音パネル２は、板状の遮音材４と、遮音材４の周囲に取り付けられた、上枠５ａ、下枠５ｂおよび縦枠５ｃからなる枠体５と、枠体５の背面側に取り付けられた背面板６とからなっている。遮音材４は、ポリエステル繊維成形材からなる吸音材からなっている。なお、遮音材４は、樹脂板からなる透光材であってもよい。遮音材４を樹脂板からなる透光材とした場合、背面板６は、不要となるので、この場合には、後述するワイヤ保持金具１３は、透光材の背面側に取り付ける。
【００４３】
７は、遮音パネル２を支柱１５間に取り付けるための取付け手段である。取付け手段７は、枠体５の縦枠５ｃにボルト８により取り付けられ、支柱１５の前面側フランジ１５ａが挿通される断面コ字状の取付け部材９と、前面側フランジ１５ａの前面と取付け部材９との間に配され、取付け部材９を前面側フランジ１５ａに押圧して、遮音パネル２を固定する上述した固定ばね１０とからなっている。なお、取付け部材９の長さを複数枚の遮音パネル２の合計長さとしてもよい。これによって、ストッパ３の数を減らすことができる。
【００４４】
固定ばね１０は、取付け部材９の前面板９ａの内面にボルト１１により固定される（図７から図１０参照）。前面板９ａの端部には、前面板９ａを内側に直角に折り曲げることによって、フランジ９ｃが形成されている。フランジ９ｃは、支柱１の前面側フランジ１５ａに当接する（図７参照）。
【００４５】
固定ばね１０が取り付けられる部分のフランジ９ｃには、切欠き９ｂが形成されている（図７参照）。切欠き９ｂは、固定ばね１０の折畳みの解除を行う際に使用する、上述した、この発明の固定ばね開放治具の挿入口である。
【００４６】
１２は、支柱１５に沿って垂直に張り渡された、遮音パネル２の落下を防止する落下防止ワイヤである。落下防止ワイヤ１２は、遮音パネル２の背面板６に取り付けられた、後述するＪボルトからなるワイヤ保持金具１３に挿通されている。
【００４７】
１３は、図１３に示すように、落下防止ワイヤ１２が挿通されるＪボルトからなるワイヤ保持金具であり、遮音パネル２の背面板６にボルト１４を介して２本、間隔をあけて取り付けられている。なお、ワイヤ保持金具は、２本に限定されない。このように、落下防止ワイヤ１２は、遮音パネル２の背面板６側に張り渡されるので、落下防止ワイヤ１２がＨ形鋼の支柱１５内に張り渡されている場合に比べて、落下防止ワイヤ１２の点検が容易に行える。
【００４８】
また、ワイヤ保持金具１３として、両端部の長さが異なるＪボルトを使用することによって、図９に示すように、ワイヤ保持金具１３と背面板６との間に落下防止ワイヤ１２を取り外す隙間（Ｐ）をあけることができるので、遮音パネル２の取外しが容易に行える。すなわち、Ｊボルトのナット１４を緩めて背面板６から離せば、Ｊボルトの短い方の端部と背面板６との間に隙間（Ｐ）をあけることができる。
【００４９】
このように構成されている、改良遮音壁は、以下に説明するようにして構築される。
【００５０】
折り畳んだ固定ばね１０を、取付け部材９の前面板９ａの内面にボルト１１により固定する。
【００５１】
次いで、固定ばね１０が固定された取付け部材９を、遮音パネル２の縦枠５ｃにボルト８により固定する。
【００５２】
次いで、取付け部材９を遮音パネル２とともに、支柱１５の前面側フランジ１５ａの上端から挿入する。前面側フランジ１５ａには、ストッパ３が取り付けられているので、遮音パネル２は、図１２に示すように、取付け部材９がストッパ３に当接するまで挿入される。この際、ワイヤ保持金具１３としてのＪボルトに落下防止ワイヤ１２を挿通する。
【００５３】
次いで、図１１中、２点鎖線で示すように、取付け部材９のフランジ９ｃの切欠き９ｂから、この発明の固定ばね開放治具を挿入して、突片１ａを、一方の折曲部１０ｆと第１係合片１０ｃとの間に差し込み、第２係合片１０ｄが第１係合片１０ｃの開口１０ｂから外れるまで回動させる。これによって、固定ばね１０の折畳みが解除されるので、固定ばね１０の弾性力によって、遮音パネル２は、支柱１５に固定される。
【００５４】
上記作業を遮音パネル２ごとに行った後、落下防止ワイヤ１２を固定することによって、遮音壁が構築される。
【００５５】
事故等によって、一部の遮音パネル２が損傷し、新しい遮音パネルと交換する場合には、損傷した遮音材４を取り外した後、ボルト８を外し、ワイヤ保持金具１３としてのＪボルトを緩めて、落下防止ワイヤ１２を隙間（Ｐ）から取り外す。そして、固定ばね１０を折り畳むか、あるいは、支柱間隔中央側にスライドさせて、取付け部材９を支柱１５から取り外す。この後、新しい遮音パネルを取り付ければ、損傷した遮音パネル２の交換が容易かつ短時間に行える。
【００５６】
以上、説明したように、この発明の固定ばね開放治具を使用することによって、例えば、改良遮音壁における遮音パネルを支柱に固定する固定ばねを容易かつ確実に開放することができる結果、改良遮音壁の構築が容易に行なえる。
【符号の説明】
【００５７】
１：治具本体
１ａ：突片
２：遮音パネル
３：ストッパ
４：遮音材
５：枠体
５ａ：上枠
５ｂ：下枠
５ｃ：縦枠
６：背面板
７：取付け手段
８：ボルト
９：取付け部材
９ａ：前面板
９ｂ：切欠き
９ｃ：フランジ
１０：固定ばね
１０ａ：ボルト孔
１０ｂ：開口
１０ｃ：第１係合片
１０ｄ：第２係合片
１０ｅ：山状折曲部
１０ｆ：一方の折曲部
１１：ボルト
１２：落下防止ワイヤ
１３：ワイヤ保持金具
１４：ボルト
１５：支柱
１５ａ：前面側のフランジ
２１：支柱
２１ａ：前面側フランジ
２２：遮音パネル
２３：枠体
２４：吸音材
２５：ボルト
２６：表面板
【図１】
2020075323.tif 000003
【図２】
2020075323.tif 000004
【図３】
2020075323.tif 000005
【図４】
2020075323.tif 000006
【図５】
2020075323.tif 000007
【図６】
2020075323.tif 000008
【図７】
2020075323.tif 000009
【図８】
2020075323.tif 000010
【図９】
2020075323.tif 000011
【図１０】
2020075323.tif 000012
【図１１】
2020075323.tif 000013
【図１２】
2020075323.tif 000014
【図１３】
2020075323.tif 000015
【図１４】
2020075323.tif 000016